(57)【要約】【課題】電気機器を使用しない場合に、コンセントを抜かなくても電気を遮断することができるブレーカーを提供する。【解決手段】  第一参考電圧値とを設定し、第一参考電圧値が効率の閥値に対応する特定の効率を具えたキャプチャ装置と、第一参考電圧値と第二参考電圧値とを比較し、第二参考電圧値が電気機器の使用効率に対応するコンパレータと、第二参考電圧値が第一参考電圧値よりも小さい時にカウンターのカウント時間が断電時間を越えないカウンターと、カウンターでカウントした時間が設定した断電時間を越えると、スイッチが電源端と電源との間の電気的な接続を切断するスイッチとを含み、電気機器と、電源端と、電源とに接続する。【選択図】  図１
0003139005.tif 000002
【実用新案登録請求の範囲】
【請求項１】
特定の効率を具えたキャプチャ装置と、コンパレータと、カウンターと、スイッチとを含んでなり、
該キャプチャ装置が第一参考電圧値とを設定するために供し、該第一参考電圧値が効率の閥値に対応し、
該コンパレータが、第一参考電圧値と第二参考電圧値とを比較するために供し、第二参考電圧値が電気機器の使用効率に対応し、
該カウンターが、第二参考電圧値が第一参考電圧値よりも小さい場合にカウンターがカウントする時間が断電時間を越えず、
該スイッチがカウンターでカウントした時間が予め設定した断電時間を越えると、スイッチが電源端と電源との間の電気的な接続を切断し、電気機器と、電源端と、電源とに接続することを特徴とするブレーカー。
【請求項２】
前記第一参考電圧値が調整できることを特徴とする請求項１に記載のブレーカー。
【請求項３】
前記効率の閥値が１０ワットであることを特徴とする請求項１に記載のブレーカー。
【請求項４】
前記効率の閥値が５ワットであることを特徴とする請求項１に記載のブレーカー。
【請求項５】
前記断電時間が調整できることを特徴とする請求項１に記載のブレーカー。
【請求項６】
前記断電時間が１０分であることを特徴とする請求項１に記載のブレーカー。
【請求項７】
前記カウンターが機械式のカウンターであることを特徴とする請求項１に記載のブレーカー。
【請求項８】
前記カウンターが電子式のカウンターであることを特徴とする請求項１に記載のブレーカー。
【請求項９】
前記スイッチがリレー（ｒｅｌａｙ）とシリコン制御整流素子（ｓｉｌｉｃｏｎ  ｃｏｎｔｒｏｌｌｅｄ  ｒｅｃｔｉｆｉｅｒ、ＳＣＲ）のうちのどちらかとすることを特徴とする請求項１に記載のブレーカー。
【請求項１０】
前記スイッチが無線制御スイッチであることを特徴とする請求項１に記載のブレーカー。
【請求項１１】
前記コンパレータが演算増幅器であることを特徴とする請求項１に記載のブレーカー。
【請求項１２】
前記特定の効率を具えたキャプチャ装置が、バリアブル・レジスタであることを特徴とする請求項１に記載のブレーカー。
【請求項１３】
前記ブレーカーが変圧器を含んでなり、第二参考電圧値が電源から変圧器を通して電圧が転換されて取り入れられることを特徴とする請求項１に記載のブレーカー。
【考案の詳細な説明】
【技術分野】
【０００１】
この考案は、ブレーカーに関し、特に電気機器の待機時に電流を流すか遮断するかを調整するブレーカーに関する。
【背景技術】
【０００２】
電子機器類の技術が発展するに伴って、人々の生活は様々な電気機器とさらに密接に結びついてきている。テレビ、冷房、電子レンジ、洗濯機などはいずれも、現在、各家庭で一般的に使用されている電気機器である。
【０００３】
消費者は、一般的に、前述の電気機器を使用していない場合でも、スイッチを入れた状態の待機状態にしておくか、或いはコンセントを挿入したままにしている。しかしながら、このような習慣は、未使用でも電気機器が電力を消費した状態を形成する。
【０００４】
いずれの電気機器も待機時の消費電力は少ないが、例えば、テレビの待機時の消費電力は０．１〜４．２ワット、電子レンジでは０．１〜４．２ワット、ステレオなどが０．０４〜１４．９ワットと同じ製品でも数値が異なっている。
【０００５】
このため、それぞれの家電の待機時の消費電力が積み重なると、大きな数値になる。統計によれば、各家庭では一年間で約三十万ワットもの電力を多く使用していることになる。よって、待機時の消費電力は、エネルギーを無駄にしているだけでなく、家庭での電気代を増加させていることになる。
【０００６】
エネルギーを節約するために関連する機関が一般的に行っている広告では、電気機器を使用しない場合、コンセントを抜くことを提唱している。
【０００７】
しかしながら、コンセントの挿入、取り外しを長期間繰り返すことは非常に不便で、コンセントの損壊、緩みなどが発生し易くなるとともに、コードから発火、或いは漏電するなどの事故が生じる可能性がある。
【考案の開示】
【考案が解決しようとする課題】
【０００８】
この考案は、電気機器を使用しない場合に、コンセントを抜かなくても電気を遮断することができるブレーカーを提供することを課題とする。
【課題を解決するための手段】
【０００９】
そこで、本考案者は従来の技術に見られる欠点に鑑みて鋭意研究を重ねた結果、特定の効率を具えたキャプチャ装置と、コンパレータと、カウンターと、スイッチとを含んでなり、
該キャプチャ装置が第一参考電圧値とを設定するために供し、該第一参考電圧値が効率の閥値に対応し、
該コンパレータが、第一参考電圧値と第二参考電圧値とを比較するために供し、第二参考電圧値が電気機器の使用効率に対応し、
該カウンターが、第二参考電圧値が第一参考電圧値よりも小さい場合にカウンターがカウントする時間が断電時間を越えず、
該スイッチがカウンターでカウントした時間が予め設定した断電時間を越えると、スイッチが電源端と電源との間の電気的な接続を切断し、電気機器と、電源端と、電源とに接続する構造からなるブレーカーの構造によって課題を解決できる点に着眼し、かかる知見に基づいて本考案を完成させた。
【００１０】
以下、この考案について具体的に説明する。
請求項１に記載の特定の効率を具えたキャプチャ装置と、コンパレータと、カウンターと、スイッチとを含んでなり、
該キャプチャ装置が第一参考電圧値とを設定するために供し、該第一参考電圧値が効率の閥値に対応し、
該コンパレータが、第一参考電圧値と第二参考電圧値とを比較するために供し、第二参考電圧値が電気機器の使用効率に対応し、
該カウンターが、第二参考電圧値が第一参考電圧値よりも小さい場合にカウンターがカウントする時間が断電時間を越えず、
該スイッチがカウンターでカウントした時間が予め設定した断電時間を越えると、スイッチが電源端と電源との間の電気的な接続を切断し、電気機器と、電源端と、電源とに接続する。
【００１１】
請求項２に記載のブレーカーは、請求項１における第一参考電圧値が調整できる。
【００１２】
請求項３に記載のブレーカーは、請求項１における効率の閥値が１０ワットである。
【００１３】
請求項４に記載のブレーカーは、請求項１における効率の閥値が５ワットである。
【００１４】
請求項５に記載のブレーカーは、請求項１における断電時間が調整できる。
【００１５】
請求項６に記載のブレーカーは、請求項１における断電時間が１０分である。
【００１６】
請求項７に記載のブレーカーは、請求項１におけるカウンターが機械式のカウンターである。
【００１７】
請求項８に記載のブレーカーは、請求項１におけるカウンターが電子式のカウンターである。
【００１８】
請求項９に記載のブレーカーは、請求項１におけるスイッチがリレー（ｒｅｌａｙ）とシリコン制御整流素子（ｓｉｌｉｃｏｎ  ｃｏｎｔｒｏｌｌｅｄ  ｒｅｃｔｉｆｉｅｒ、ＳＣＲ）のうちのどちらかとする。
【００１９】
請求項１０に記載のブレーカーは、請求項１におけるスイッチが無線制御スイッチである。
【００２０】
請求項１１に記載のブレーカーは、請求項１におけるコンパレータが演算増幅器である。
【００２１】
請求項１２に記載のブレーカーは、請求項１における特定の効率を具えたキャプチャ装置が、バリアブル・レジスタである。
【００２２】
請求項１３に記載のブレーカーは、請求項１におけるブレーカーが変圧器を含んでなり、第二参考電圧値が電源から変圧器を通して電圧が転換されて取り入れられる。
【考案の効果】
【００２３】
この考案によるブレーカーは、電気機器の接続ヘッドをコンセントから抜かなくても、待機状態の消費エネルギーを減少することができるという効果を有する。
【考案を実施するための最良の形態】
【００２４】
この考案は、電気機器を使用しない場合に、コンセントを抜かなくても電気を遮断することができるブレーカーであって、特定の効率を具えたキャプチャ装置と、コンパレータと、カウンターと、スイッチとを含んでなり、
該キャプチャ装置が第一参考電圧値とを設定するために供し、該第一参考電圧値が効率の閥値に対応し、
該コンパレータが、第一参考電圧値と第二参考電圧値とを比較するために供し、第二参考電圧値が電気機器の使用効率に対応し、
該カウンターが、第二参考電圧値が第一参考電圧値よりも小さい場合にカウンターがカウントする時間が断電時間を越えず、
該スイッチがカウンターでカウントした時間が予め設定した断電時間を越えると、スイッチが電源端と電源との間の電気的な接続を切断し、電気機器と、電源端と、電源とに接続する構造と特徴を詳述するために具体的な実施例を挙げ、図示を参照にして以下に説明する。
【実施例】
【００２５】
この考案のブレーカーの実施形態を図１に開示する。図面によれば、該ブレーカー１は、どのような電気機器にも適用でき、電気機器の電源端と電源に接続することができる。
【００２６】
この実施形態において、ブレーカー１は、電気機器の内部に設けられ、該ブレーカー１に接続する電源端が、電気機器内部のコントロール回路に接続する。該コントロール回路は電気機器の始動、或いは停止して待機状態にするように制御する信号を受信する。このように該電気機器は、ブレーカー１を通して外部からの電源を取り入れる。
【００２７】
該ブレーカー１は、入力端１０１、出力端１０３、ヒューズ１０５、ブリッジ全波整流器１０７、ツェナー・ダイオード（Ｚｅｎｅｒ  ｄｉｏｄｅ）１０９、フィルタコンデンサ１１１、カウンター１１３、変圧器１１５、特定の効率を具えたキャプチャ装置１１７、コンパレータ１１９、トランジスタ１２１、スイッチ１２３とを含んでなる。
【００２８】
該スイッチ１２３は、ボタン１２５と、リレー（ｒｅｌａｙ）１２７とを含んでなり、該カウンター１１３は、電源端１２９と、リセット端１３１と、出力端１３３とを含んでなる。前述の部材の接続関係は図１に開示する。
【００２９】
電気機器の接続ヘッドは、１１０ボルトの交流電源を得ることができるコンセントに挿入する。該交流電源は、入力端１０１から入力する。該交流電源を入力した後、電流が大きすぎることを防ぐためにヒューズ１０５を通して、電気回路の機能を保護する。
【００３０】
ユーザーが該電気機器の使用を開始する場合、ボタン１２５を押してから電気機器のスイッチを押して、電気機器内部のコントロール回路を始動し、電気機器を作動させなければならない。この時、交流電源が、出力端１０３から電気機器内部のコントロール回路に送られて電気を供給するとともに、ブリッジ全波整流器１０７にも送られる。
【００３１】
この実施形態におけるブリッジ全波整流器１０７は、第一入力端１３５と、第二入力端１３７と、アース端１３９と、出力端１４１とを含んでなる。
【００３２】
該ブリッジ全波整流器１０７は、第一入力端１３５と、第二入力端１３７で１１０ボルトの交流電源を取り入れて、内部のダイオードで整流した後、ブリッジ全波整流器１０７の出力端１４１から１２ボルトの直流電流１０２を出力する。
【００３３】
即ち、ブリッジ全波整流器１０７は、１１０ボルトの交流電源を整流するとともに、１２ボルトの直流電流１０２を出力するという目的を達成する。
【００３４】
ツェナー・ダイオード１０９は、ブリッジ全波整流器１０７が出力する１２ボルトの直流電流１０２の電圧を安定するために供する。フィルタコンデンサ１１１でフィルタをかけると、直流電流１０２が常にカウンター１１３の電源端１２９に送られて、カウンター１１３の電源として供される。
【００３５】
また、該直流電流１０２は、コンパレータ１１９の電源端に送られてコンパレータ１１９の電源としても供され、且つキャプチャ装置１１７及びトランジスタ１２１のエミッタにも送られる。該トランジスタ１２１は、ＰＮＰ型のバイポーラトランジスタとする。
【００３６】
この実施形態におけるキャプチャ装置１１７は、バリアブル・レジスタを含んでなり、コンパレータ１１９は演算増幅器でもよい。該変圧器１１５は、出力端１０３が供給する電気機器の使用効率を他端に送り、電気機器の電圧を転換して演算増幅器で使用できる電圧の大きさに転換する。
【００３７】
該電圧は演算増幅器の第二参考電圧値１０６とする。キャプチャ装置１１７のバリアブル・レジスタは、演算増幅器に第一参考電圧値１０４を提供するために供する。第一参考電圧値１０４は予め設けられた効率の閥値に対応し、該効率の閥値は、バリアブル・レジスタで調整して設定することができる。
【００３８】
この実施形態では、電気機器の待機効率が３ワット、電気機器の使用効率が７ワットだと仮定し、第一参考電圧値１０４を適宜に調整すると、対応する効率の閥値の５ワットが得られる。
【００３９】
演算増幅器はこの二つの参考電圧を比べるために供する。電気機器を使用している時、即ち、電気機器の使用効率が閥値よりも大きい場合、第二参考電圧値１０６は、第一参考電圧値１０４よりも大きくなり、演算増幅器が高レベルのリセット信号１０８をカウンター１１３のリセット端１３１に送信すると、カウンター１１３が該高レベルのリセット信号１０８を受信して、カウンター１１３のカウントした時間がリセットされ続ける。
【００４０】
カウンター１１３がリセットされ続けると、カウントした時間がカウンター１１３で予め設定された断電時間を越えることがない。例えば１０分間、カウンター１１３の出力端１３３は、低レベルの信号をトランジスタ１２１のベースに送信する。この時、トランジスタ１２１は作動状態にあり、電流１１０がトランジスタ１２１のコレクタを介してスイッチ１２３のリレー１２７に流れ、ガイドされる。即ち、再びボタン１２５を押さなくてもブレーカー１の内部の回路が作動した状態が維持される。
【００４１】
上述のように、電気機器を使用していると、第二参考電圧値１０６は常に、第一参考電圧値１０４よりも大きくなる。よって、コンパレータ１１９は、高レベルのリセット信号１０８を出力し続ける。このため、カウンター１１３は常にリセットされ、カウントした時間がカウンター１１３に設定された断電時間を越えることがない。よって、ブレーカー１が継続して電気を供給する。
【００４２】
利用者が該電気機器を使用しない時、電気機器のスイッチを押して使用を停止し、電気機器を待機状態にする。この時、交流電源が出力端１０３が出力されて、ブリッジ全波整流器１０７に送られる。該ブリッジ全波整流器１０７は、前述と同様に１１０ボルトの交流電源を整流して直流電流１０２にし、ツェナー・ダイオード１０９で電圧を安定させてからカウンター１１３、キャプチャ装置１１７、コンパレータ１１９及びトランジスタ１２１のエミッタに送り出す。
【００４３】
演算増幅器は第二参考電圧値１０６と第一参考電圧値１０４を比較する場合、電気機器が待機状態にあるため、第二参考電圧値１０６が第一参考電圧値１０４よりも小さくなる。よって、コンパレータ１１９は、低レベルのリセット信号１０８をカウンター１１３のリセット端１３１に送信し、カウンター１１３が該低レベルのリセット信号１０８を受信すると、時間のカウントを開始する。
【００４４】
カウンター１１３でカウントした時間がカウンター１１３に予め設定された断電時間を越えると、例えば１０分が経過すると、カウンター１１３の出力端１３３から高レベルの信号がトランジスタ１２１のベースに出力されて、トランジスタ１２１が停止する。よって、電流がトランジスタ１２１のコレクタからリレー１２７に流れなくなり、リレー１２７が作動しないため、ブレーカー１の内部の回路が中断されて、交流電源が電気機器に供給されない。このため、電気機器の待機状態の消耗電力が絶たれ、完全に電気機器が停止した状態になる。
【００４５】
電気機器を停止した後、予め設定された断電時間内に電気機器のスイッチを入れると、カウンター１１３の出力端１３３から低レベルの信号が出力され、トランジスタ１２１が作動され続けて、電流１１０がトランジスタ１２１のコレクタからリレー１２７に送られて、電気機器が使用できる状態が継続される。
【００４６】
使用者が該電気機器の使用を開始したい場合には、ボタン１２５を押して電気機器を待機状態にする。しかしながら、断電時間内には正式に電気機器が作動しない。即ち、カウンター１１３のカウント時間が予め設定された断電時間を越えると、ブレーカー１が再び電気の供給を中断する。
【００４７】
上述の実施形態において、ブリッジ全波整流器１０７は、楽山無線電股?有限公司のブリッジ全波整流器ＲＳ４０５であって、４つのダイオードを組み合わせて従来のブリッジ全波整流器を形成する。カウンター１１３は、フェアチャイルド・セミコンダクタ社（Ｆａｉｒｃｈｉｌｄ  Ｓｅｍｉｃｏｎｕｃｔｏｒ）の１４ビットのバイナリ・カウンタ４０６０か、或いは４０２０で、小型の中央処理装置か、チップ、或いは数字を数えるか時間を計る機能を具えたその他の集積回路とする。
【００４８】
他の実施形態では、該ブレーカー１を単独の装置として設けてもよい。該電気機器の接続ヘッドは、ブレーカーの出力端１０３に挿入し、ブレーカーの入力端１０１が接続ヘッドに接続する。電機機器の電源端は、ブレーカーを通して電源に接続する。
【００４９】
他の実施形態では、ボタン１２５は、電気機器のリモコンスイッチと同じリモコンに設ける。ボタン１２５を押すと信号が、ワイヤレスでブレーカー１を制御する。該信号の伝送方法は、制限されることがなく超音波、赤外線、或いはその他の形式でもよい。リレー１２７は、シリコン制御整流素子（ｓｉｌｉｃｏｎ  ｃｏｎｔｒｏｌｌｅｄ  ｒｅｃｔｉｆｉｅｒ、ＳＣＲ）とする。
【００５０】
この考案の別の実施形態を図２に開示する。図面によれば、ブレーカー１のブレーカー２には交流電源２０を提供するコンセント２１の接続線ボックス２３の内部に設けられる。該コンセント２１は壁に嵌設される。即ち、電力会社が提供する交流電源２０は、ブレーカー２を介してコンセント２１に接続する。電気機器を使用する場合には、電気機器の接続ヘッドをこの実施例を追うようしたコンセント２１に挿入するだけでよい。よって、該コネクタ２１を使用した電気機器は、いずれもブレーカー２を通してエネルギーを節約することができる。
【００５１】
この実施形態のスイッチ（図示しない）のボタン２５は、コンセント２１のパネル２７上に設けられ、ブレーカー２を使用するために便利である。もちろん、この業界関係者であれば、ブレーカー１、２に類似するブレーカーを電気機器に電気を供給する装置に設けるか、或いは外部、或いは内部に接続するなどして同様の効果を達成することができる。
【００５２】
上述の二つの実施形態の他に、コンパレータとタイマーは機械装置として実施し、該機械装置が全自動、或いは手動、半自動式で作動するものでもよい。
【００５３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５４】
【図１】この考案のブレーカーの内部に設ける電気回路を示した説明図である。
【図２】この考案のブレーカーの別の実施形態を示した説明図である。
【符号の説明】
【００５５】
１       ブレーカー
１０１   入力端
１０２   直流電流
１０３   出力端
１０４   第一参考電圧値
１０５   ヒューズ
１０６   第二参考電圧値
１０７   ブリッジ全波整流器
１０８   リセット信号
１０９   ツェナー・ダイオード
１１０   電流
１１１   フィルタコンデンサ
１１３   カウンター
１１５   変圧器
１１７   キャプチャ装置
１１９   コンパレータ
１２１   トランジスタ
１２３   スイッチ
１２５   ボタン
１２７   リレー
１２９   電源端
１３１   リセット端
１３３   出力端
１３５   第一入力端
１３７   第二入力端
１３９   アース端
１４１   出力端
２       ブレーカー
２０     交流電源
２１     コンセント
２３     接続線ボックス
２５     ボタン
２７     パネル
【図１】
0003139005.tif 000003
【図２】
0003139005.tif 000004